(57)【要約】【課題】  情報検索において、全文検索の対象となる文書ファイルに関連する情報を提示し、ユーザーの選択を求める文書ファイルの分類整理方法及び検索支援装置並びに記憶媒体を提供する。【解決手段】  検索支援装置は、用語検索条件入力画面のデータ生成部、用語検索結果表示画面のデータ生成部、用語検索エンジン、ファイル情報データベース、用語データベース、インデックスデータより構成され、検索の処理手順は、ユーザーが検索したい文書ファイル名を入力し、第１のステップで文書ＩＤ―文書ファイルリストに相当するデータを逆引きして、ユーザーの指定した文書ファイルに対応する文書ＩＤを得、第２のステップで単語ＩＤ―文書ＩＤリストに相当するデータを逆引きして、ユーザーの指定した文書ファイルに現れる単語の単語ＩＤを得、第３のステップで単語―単語ＩＤリストに相当するデータを逆引きして、ユーザーの指定した文書ファイルに現れる単語を得る。【選択図】  図１
2008165676.tif 000002
【特許請求の範囲】
【請求項１】
文書ファイルの分類整理方法であって、複数の前記文書ファイルに対して、主に書誌的属性に関する共通性を見出してグループ化するステップと、前記グループ化された複数の文書ファイルが、どのようなグループに属し、グループ内でどのような位置付けにあるかを表すグループ属性情報を作成するステップと、前記作成されたグループ属性情報に対しても同様に書誌的属性に関する共通性に基づき再帰的にグループ化するステップとを備えることを特徴とする文書ファイルの分類整理方法。
【請求項２】
演算処理装置と記憶装置とを有する文書ファイルの検索支援装置であって、
前記記憶装置は、
対象とした文書ファイルから切り出した用語及びその用語に一意に付けた用語ＩＤ番号を記録した用語データベースと、対象とした文書ファイルの所在情報を含むファイル名及びその文書ファイルに一意に付けたファイルＩＤ番号を記録したファイル情報データベースと、前記用語ＩＤ番号及び前記用語ＩＤ番号で特定された用語が含まれている文書ファイルの前記ファイルＩＤ番号を組にしたものを記録したインデックスデータと、前記用語データベースから用語を抽出する検索命令文を入力する用語検索条件入力画面データ生成部と、前記用語検索条件入力画面から送られた検索命令文を処理して検索条件を満たす用語を抽出する用語検索エンジンと、前記用語検索エンジンが抽出した用語を提示する用語検索結果表示画面データ生成部とを備え、前記演算処理装置は、前記ファイル情報データベースを検索してユーザーの指定した文書ファイルに対応する文書ＩＤを得て、前記得られた文書ＩＤを用いて前記インデックスデータを検索してユーザーの指定した文書ファイルに現れる単語の単語ＩＤを得て、前記得られた単語ＩＤを用いて前記用語データベースを検索してユーザーの指定した文書ファイルに現れる単語を得ることを特徴とする文書ファイルの検索支援装置。
【請求項３】
前記用語検索条件入力画面に、対象文書ファイルを限定するためのファイル限定条件入力部の画面を更に設け、請求項１に記載の文書ファイルの分類整理方法に基づき、対象とした文書ファイル、文書ファイルの属するグループ又はその両方を分類整理して提示する請求項２記載の文書ファイルの検索支援装置。
【請求項４】
請求項２又は３に記載された文書ファイルの検索支援装置としてコンピュータを機能させるプログラムを記憶した記憶媒体。
【発明の詳細な説明】
【技術分野】
【０００１】
本発明は、文書ファイルの分類整理方法及び検索支援装置並びに記憶媒体に関するものである。特に、パソコン内の記憶装置又はＣＤ−ＲＯＭ等の記録メディアやインターネット上の文書サーバー等に集積されている文書ファイルをユーザーが閲覧して情報を収集する行為を支援するための用語索引に関する検索支援装置を提供する。
【背景技術】
【０００２】
現行の全文検索システムが広く用いられるようになる前は、情報はもっぱら紙に印刷された書籍として存在し利用されており、書籍によっては巻末に用語索引が付いていた。また、索引は、書籍中に現れる用語を５０音順に並べて見出しを付けたり、分野別（人名索引等）に分けたりして構成されている。これは必要とする用語が記載されている本文のページ位置を示すことが主目的であるが、その書籍に含まれている用語が一覧として提示されることで、パソコンやインターネットで考えた場合、文章検索時のキーワード的な役目を果たしていた。
【０００３】
一般に、ユーザーが自分の知らない知識を収集するためにパソコンやインターネットで情報検索をする際には、全文検索システムに対して調べたいテーマに関係しそうな文字（以下「入力語」という。）をキーボードで入力する自由入力方式が一般的に用いられている。また、その検索結果としては入力語を含む文書ファイルの所在情報（ＵＲＬ等）や入力語を含む本文の一部などが一覧形式で提示されることが多い。
【０００４】
ところで、前述した全文検索システムでは、必要な情報を入手するために、適切な入力語をユーザーが知らないと必要な情報を入手することはできない。すなわち調べたいテーマに関する入力語の知識や知見がないと、必要な情報を入手することは困難であるという問題があった。
【０００５】
このような問題点を補うために同義語辞書やシソーラスを活用するという方法がある。
【０００６】
また、ユーザーが入力又は選択した入力語を用いて一度検索を行いその結果を分析してユーザーに有益と思われる関連語を提示する、文書処理装置、単語抽出装置及び単語抽出方法が提案されている（例えば、特許文献１参照）。
【０００７】
しかし、調べたいテーマについての予備知識が十分でない場合には、最初の入力語が思いつかないという問題点は依然として残る。また、記憶していた入力語が不正確な場合には入力語と文書ファイル中の語が合致せず、必要とする結果が出てこないという問題もある。
【０００８】
また逆に、思いつきやすい比較的簡単な文言や言葉を入力語として入力してしまうと、その入力語を含む文書ファイルが膨大に抽出されるという問題もある。例えば、昨今の携帯電話普及事情を調べるために、すぐ思いつく“携帯電話”という言葉を現行の全文検索システムに入力して検索を実行すると、“携帯電話”を含む文書ファイルが膨大に抽出されてしまう。
【０００９】
このような検索結果に対しては、大量に抽出された検索結果に順位を付けるアルゴリズムの改良が各全文検索サービス提供サイドで積極的に行われている。
【００１０】
しかし、いくら順位付けアルゴリズムの改良が重ねられても、膨大又はあまりに少ない検索結果を目にしたユーザーは、適切な入力語で検索できていない場合が多く、さらに検索された文書ファイルを読んで、変更又は追加すべき入力語を探すことになり検索に費やす負担が大きかった。
【００１１】
【特許文献１】特許第３０９９７５６号公報
【発明の開示】
【発明が解決しようとする課題】
【００１２】
前述したように、従来の全文検索システムの問題点は、そのシステムが自らの持つ情報をあまり提示せずにユーザーからの入力を一方的に要求しがちなこと、また、システムが検索条件として入力語を最も重視し、文書ファイル間の関係や階層構造やハイパーリンク情報や書誌的項目などを始めとするその他の検索に使用可能な情報を十分に活用しないということによる。
【００１３】
後者について言えることは、１つの文書が１つの文書ファイルであるとは限らず複数の文書ファイルから構成されていたりするなど統一性がないことや、『ウェブにおいて人為的に境界を設定し「一冊」の範囲を定めることが困難』というウェブ文書の特性に起因するということである（「国立国会図書館におけるウェブ・アーカイビングの実践と課題」（４．４  粒度）情報処理学会研究報告２００３−ＤＥＳ−１３０、２００３−Ｆ１−７１参照）。
【００１４】
特許文献１は、文書が複数の文書ファイルからなっているということなどは前提としておらず、文書集合特定手段は本発明のファイル情報データベース又は用語検索エンジンとは異なるものである。
【００１５】
本発明は、前述した従来技術の問題点をかんがみなされたものであり、情報検索において、全文検索の対象となる文書ファイルに関連する情報を提示し、ユーザーの選択を求める、文書ファイルの分類整理方法及び検索支援装置並びに記憶媒体を提供することを目的とするものである。
【課題を解決するための手段】
【００１６】
請求項１による本発明にかかる文書ファイルの分類整理方法は、複数の文書ファイルに対して、主に書誌的属性に関する共通性を見いだしてグループ化するステップと、グループ化された複数の文書ファイルが、どのようなグループに属し、グループ内でどのような位置付けにあるかを表すグループ属性情報を作成するステップと、作成されたグループ属性情報に対しても同様に書誌的属性に関する共通性に基づき再帰的にグループ化するステップとを備えることを特徴とするものである。
【００１７】
請求項２による本発明にかかる文書ファイルの検索支援装置は、演算処理装置と記憶装置とを有する文書ファイルの検索支援装置であって、記憶装置は、対象とした文書ファイルから切り出した用語及びその用語に一意に付けた用語ＩＤ番号を記録した用語データベースと、対象とした文書ファイルの所在情報を含むファイル名及びその文書ファイルに一意に付けたファイルＩＤ番号を記録したファイル情報データベースと、用語ＩＤ番号及び用語ＩＤ番号で特定された用語が含まれている文書ファイルのファイルＩＤ番号を組にしたものを記録したインデックスデータと、用語データベースから用語を抽出する検索命令文を入力する用語検索条件入力画面データ生成部と、用語検索条件入力画面から送られた検索命令文を処理して検索条件を満たす用語を抽出する用語検索エンジンと、用語検索エンジンが抽出した用語を提示する用語検索結果表示画面データ生成部とを備え、演算処理装置は、ファイル情報データベースを検索してユーザーの指定した文書ファイルに対応する文書ＩＤを得て、得られた文書ＩＤを用いてインデックスデータを検索してユーザーの指定した文書ファイルに現れる単語の単語ＩＤを得て、得られた単語ＩＤを用いて用語データベースを検索してユーザーの指定した文書ファイルに現れる単語を得ることを特徴とするものである。
【００１８】
請求項３による本発明にかかる文書ファイルの検索支援装置は、請求項２を基本とし、用語検索条件入力画面に、対象文書ファイルを限定するためのファイル限定条件入力部の画面をさらに設け、請求項１に記載の文書ファイルの分類整理方法に基づき、対象とした文書ファイル、文書ファイルの属するグループ又はその両方を分類整理して提示するものである。
【００１９】
請求項４による本発明にかかる記憶媒体は、請求項２又は３に記載された文書ファイルの検索支援装置としてコンピュータを機能させるプログラムを記憶した記憶媒体である。
【発明の効果】
【００２０】
本発明によれば、情報検索において、全文検索の対象となる文書ファイルに関連する情報が提示されるので、ユーザーはこれを選択するだけで文書の検索ができ、全文検索に必要な入力語の発見が容易となる。
【発明を実施するための最良の形態】
【００２１】
本発明の文書ファイルの分類整理方法及び検索支援装置に係る実施の形態を説明する前に、従来技術における全文検索システムを用いた検索処理の概要を説明する。
【００２２】
図９に、従来技術における検索処理の一例を示す。検索処理に用いる全文検索システムとしてはＮａｍａｚｕ全文検索システムであり、内部で行われる検索処理に用いられるファイルは、単語−単語ＩＤリスト、単語ＩＤ−文書ＩＤリスト及び文書ＩＤ−文書ファイルリストである。
【００２３】
ユーザーにより「携帯電話」というキーワードが入力されて検索が実行されたものとする。
第１のステップでは、形態素解析が行われ、「携帯電話」が「携帯」と「電話」とに分解される。
第２のステップでは、単語−単語ＩＤリスト内のデータ検索を行って、「携帯」及び「電話」に対応する単語ＩＤとして、「携帯」は３、「電話」は５を得る。
第３のステップでは、第２のステップで得られた単語ＩＤに対する文書ＩＤを得る。単語ＩＤ―文書ＩＤリスト内のデータ検索を行って、「携帯」３を含む文書の文書ＩＤは１、２、「電話」５を含む文書の文書ＩＤは１を得る。
第４のステップでは、前のステップで得た文書ＩＤである「携帯」は１、２、「電話」は１に対して積集合（ＡＮＤ）演算を行い、「携帯」及び「電話」の両方を含む文書の文書ＩＤとして１を得る。
第５のステップでは、第４のステップで得られた文書ＩＤに対して、文書ＩＤ―文書ファイルリスト内のデータ検索を行って、「携帯」及び「電話」の両方を含む文書のファイル名（／ｈｏｍｅ／ｂｏｏｋ１／ｐ０１．ｈｔｍ）を得る。
【００２４】
このように、従来技術における全文検索システムでは、まず始めにキーボードで入力するための用語を思いつく必要があった。また、入力語を入力して検索を実行すると文書ファイルを検索するようになっている。
【００２５】
これに対して、本発明の主な目的は、入力語に対する予備知識の少ないユーザーに対する検索支援である。本発明の文書ファイルの分類整理方法及び検索支援装置による検索処理は、従来技術における処理と反対の手順のデータ検索を行うものであり、文書ファイルを検索する前に、文書ファイル中に記述される用語を用語データベースの中から検索して表示しているので、この用語を選択するだけで文書の検索ができ、全文検索に必要な入力語の検索が容易になる。
【００２６】
用語データベースには形態素以外の複合語の用語も積極的に収録する。例えば、「放送」という単語に対しては、「放送事業」、「放送事業者」、「民間放送事業者数」のように部分的に重複する用語が本文中に各々現れた場合に、これらを全て用語データベースに登録してもよい。
【００２７】
またその際、用語データベースに読み仮名情報やその他の付加情報があれば、用語を更に絞り込むための条件入力画面を設けることもできるので、用語の漢字表記や用語自体を正確に記憶していない場合でも、文書ファイル中に実際に現れる用語を表示させることが可能となる。
【００２８】
また、本発明では、文書ファイルを検索する前に用語データベースの中から用語を検索することから、ユーザーは同義語ではない関連語も知ることができるので、本文の検索をする際に効果的な入力語の選択を支援することができる。
【００２９】
例えば、従来技術における単語―単語ＩＤリストは形態素を主体に記録されることが多く、リストの逆引きによって「携帯」や「電話」は得られるが「携帯電話」を得られないことがある。本発明では、例えば「携帯電話」を含む用語を検索すると、本文の文書ファイルに現れる「カメラ付き携帯電話」、「携帯電話インターネット」等が抽出され、携帯電話に関する入力語の選択を効率的に行うことができる。
【００３０】
また、グループ属性情報の活用により、複数の文書ファイルを一体的な電子書籍として取り扱ったり、さらに電子書籍を分類したり、逆に電子書籍中の特定の部分（部・章・節等）を指定する等の検索条件の指定が容易になる。
【００３１】
また、対象文書ファイルの範囲を極めて狭く指定すると、その範囲に含まれる用語を俯瞰的に表示することができる。これによりユーザーは、あるテーマに関して記述した文章中に現れる用語、すなわち、あるテーマに関する関連語を更に広く知ることができ、本文の検索に効果的な入力語の選択が容易になる。
【００３２】
図１に、本発明の検索支援装置に係る基本構成図の実施の形態の例を示す。
検索支援装置は、用語検索条件入力画面のデータ生成部、用語検索結果表示画面のデータ生成部、用語検索エンジン、ファイル情報データベース、用語データベース及びインデックスデータより構成されている。
【００３３】
検索支援装置は、ユーザーが用語検索条件入力画面より入力すると、本実施の形態の検索支援装置が検索を開始し、検索結果を用語検索結果表示画面に表示するという流れになっている。
【００３４】
検索の処理手順としては、始めにユーザーが検索したい文書ファイル名を入力する。
第１のステップでは、文書ＩＤ―文書ファイルリストに相当するデータを逆引きして、ユーザーの指定した文書ファイルに対応する文書ＩＤを得る。
第２のステップでは、単語ＩＤ―文書ＩＤリストに相当するデータを逆引きして、ユーザーの指定した文書ファイルに現れる単語の単語ＩＤを得る。
第３のステップでは、単語―単語ＩＤリストに相当するデータを逆引きして、ユーザーの指定した文書ファイルに現れる単語を得る。
【００３５】
図２に、用語データベースの実施の形態の一例を示す。
用語データベースは、対象とした文書ファイルから切り出した用語及び用語に一意に付けた用語ＩＤ番号を記録したファイルである。
用語データベースの中の任意の用語を指定したとき、その用語を含む文書ファイルは１個以上存在する。
【００３６】
用語データベースに記録する用語は、対象とした文書ファイルから通常はコンピュータ処理によって切り出されるが、人手を使って選び出してもよい。
用語データベースには、文書から切り出した用語すべてを記録してもよいが、検索に用いられる機会が非常に少ないと予想される用語を省略してもよい。例えば、用語データベースに「携帯電話」のみを登録し、「携帯」や「電話」を登録しないケースもあり得る。
また、既存の辞書データ等を流用し、対応する文書ファイルが存在するか否かのフラグを付加して使えない用語を区別する方法としてもよい。
【００３７】
用語データベースには、書籍の５０音順索引や分野別索引に相当する機能やその他の機能を実現するために、必要に応じて用語に対する付加情報のフィールドを設けてもよい。
用語に対する付加情報として、用語の読み仮名や用語の属性（人名など）や略語やその逆の正式名称などが考えられる。
また、用語データベース中の別の用語の同義語であるといったシソーラス関係情報なども記録しておいてもよい。
用語データベースはリレーショナルデータベース理論に基づいて正規化が行われ複数のテーブルに分割されてもよい。
【００３８】
前述した従来技術では、ユーザーが対象として電子書籍ｘを指定したい場合に、ユーザーが当該文書を構成する全ての文書ファイル名を条件として入力することはもとより、これらがいくつあるかを把握することも困難であった。
【００３９】
そこで本発明の実施の形態では、各文書ファイルの書誌的属性に関する共通性を見いだして、電子書籍ｘという抽象的な対象と実際の文書ＩＤ及び文書ファイル名との関係をグループ属性情報として整理し、これをファイル情報データベースに記録し、文書ＩＤ―文書ファイルリストに相当するデータの代わりとして用いることで、従来技術の困難さを解決するものである。
【００４０】
図３に、ファイル情報データベースの実施の形態の一例を示す。
ファイル情報データベースは、対象とした文書ファイルのファイル名、文書ファイルに一意に付けたファイルＩＤ番号及び文書ファイルのグループ属性情報を記録したものである。
ファイル名は、ファイルが置かれている所在の情報（ＵＲＬ等）も含まれ、ファイルが一意に識別される。
また必要に応じてファイルのタイトルを記録してもよい。
ファイル情報データベースはリレーショナルデータベース理論に基づいて正規化が行われ複数のテーブルに分割されてもよい。
【００４１】
グループ属性情報は、複数の文書ファイルにおいて、主に書誌的属性に関する共通性を見いだして文書ファイルをグループ化したときに、各文書ファイルがどのようなグループに属し、グループ内でどのような位置付けにあるかを表す情報である。グループは入れ子にしてもよい。
例えば、電子書籍Ａの第１章第２節の本文の文書ファイルは、「電子書籍Ａ」というグループに属する又は「電子書籍Ａの第１章」というグループに属すると言い表すことができる。
【００４２】
また、インターネット上のファイルも同様に考えることができ、株式会社Ｃ社のホームページ中にある商品Ｄの説明ページは、「株式会社Ｃ社のサイト」に属する、又は「Ｃ社の商品説明」に属すると言える。
さらに、電子書籍ＡがＣ社のホームページに掲載された電子書籍（業界動向レポートや商品Ｄの取扱説明書等）であれば、その関係を表現してもよい。
ファイル情報データベースを用いると、ある文書ファイルが電子書籍Ａの第１章第２節の本文ファイルであるとか、株式会社Ｃ社のホームページの商品Ｄの説明ページであるというような情報を直ちに取り出すことができる。
【００４３】
また、ファイル情報データベースから与えられた条件を満たすレコードだけを抽出し、利用することができる。
例えば、電子書籍Ａの章の情報を抽出し順序よく並べて表示すると、電子書籍Ａの章レベルの目次を作ることができる。
又はＣ社のホームページを構成するファイルの情報をトップページから１〜２階層分抽出すれば、Ｃ社ホームページのサイトマップを作ることができる。
【００４４】
なお、本実施の形態において、対象とした文書ファイルの数が少ないなど、ファイル情報データベースをその都度参照する必要がないときには、グループ属性情報を省略することができる。
【００４５】
図４に、インデックスデータの実施の形態の一例を示す。
インデックスデータは、用語ＩＤ番号と、用語ＩＤ番号で特定された用語が含まれている文書ファイルのファイルＩＤ番号の組合せを記録したものである。
【００４６】
用語検索条件入力画面のデータ生成部によって生成される用語検索条件入力画面は、用語データベースから特定の用語を抽出する検索条件を持つ検索命令文をユーザーの操作によって用語検索エンジンに送ることができる。
検索の結果抽出される用語の数が多いと予測される場合には、検索条件に「文字列“○○”を含む用語」や、「読みが“あ”で始まる用語」、「付加情報が“人名”である用語」等の絞り込み条件を含めるように画面を構成してもよい。
【００４７】
用語検索条件入力画面にはファイル限定条件入力部の画面が含まれる。
ファイル限定条件入力部の画面は、対象とした文書ファイル、文書ファイルの属するグループ又はその両方を分類整理して提示し、ユーザーの操作によって対象ファイルを限定する検索条件が検索命令文に追加される。
ファイル限定条件入力部の画面は、ユーザーの操作によってファイル情報データベースから情報を抽出し変更することもできる。
例えば、ＩＴ関係の電子書籍一覧が表示されているところを、文芸作品の電子書籍一覧に変更することができる。
【００４８】
用語検索エンジンは、用語検索条件入力画面から検索命令文を受け取ると、ファイル情報データベース、用語データベース及びインデックスデータを用いて検索条件を満たす用語を抽出する。
【００４９】
用語検索結果表示画面のデータ生成部によって生成される用語検索結果表示画面は、検索の結果として得られた用語を表示するとともに、ユーザーの操作によって公知の全文検索システムに対する検索命令文を生成し、その全文検索システムに検索命令文を送って、文書ファイルを検索する操作に円滑に移行することができる。なお、公知の全文検索システムが対象とする文書ファイルの集合は、本発明である用語索引システムが対象とする文書ファイルの集合を部分集合として含んでいればよく、両者が同値でなくてもよい。
【００５０】
また、用語検索結果表示画面から再び用語検索エンジンに検索命令文を送って検索を繰り返すようにしてもよい。
例えば、１回目に「“け”で始まる用語」を検索し、結果として“携帯電話”が表示されたときに「“携帯電話”を含む用語」で２回目の検索をすることができる。
【００５１】
用語検索条件入力画面、用語検索結果表示画面を表示するための各データは、通信手段を用いて本発明の検索支援装置を含んだ全文検索システムと接続することにより遠隔地においても検索による結果を表示することが可能となる。
【００５２】
（実施例１）
図５、図６に、前述した実施の形態における実施例１として検索支援装置を利用した電子索引システムの一例を示す。複数の電子書籍を収録した電子書籍閲覧システムに利用した電子索引システムの検索条件入力画面と検索結果表示画面の一例を示す。
【００５３】
図５に、本発明の検索支援装置を、電子索引システムに適用した場合において、複数の電子書籍Ｗ、Ｘ、Ｙ、Ｚを対象とした場合の検索条件入力画面の一例を示す。
【００５４】
本実施例では、用語検索条件入力画面を２分割し、左側にファイル限定条件入力部の画面を、右側に用語を絞り込む条件の入力画面を表示している。
最初にファイル限定条件入力部の画面において対象とする書籍、例えば、書籍ＸとＹを選択し、次に用語検索条件入力画面において条件を指定するが、この画面では、５０音順索引から選択する、分野別索引を利用するという方法で検索することが可能であるので、これらの入力方法を選択して条件を入力することにより、検索命令文が用語検索エンジンに送られ、用語の検索が実行される。本実施例では、用語の絞り込み条件入力画面において５０音順索引の「か行」を選択してクリックする。
【００５５】
図６に、前述した電子索引システムの検索条件入力により検索された結果を表示する検索結果表示の一例を示す。図６の用語の絞り込み条件入力画面において５０音順索引の「か行」を選択してクリックした際の用語検索結果表示画面の例である。書籍ＸとＹを指定し、５０音順索引の「か行」を選択すると、用語検索結果表示画面には、検索結果として１６個の用語が抽出され結果表示される。
用語検索結果表示画面に表示された用語の中から目的の用語をクリックすることにより、別に構築されている公知の文書全文検索システムに対象書籍と入力語を渡すことができるようにシステムが構築されている。
【００５６】
（実施例２）
図７、図８に、前述の実施の形態における実施例２として検索支援装置を利用した電子索引システムの別の例を示す。複数の電子書籍を収録した電子書籍閲覧システムに利用した電子索引システムの検索条件入力画面と検索結果表示画面の一例を示す。
【００５７】
図７に、本発明の検索支援装置を、複数の電子書籍を収録した電子書籍閲覧システムに利用した場合において、ある電子書籍Ａを対象とし、ファイル限定条件入力部の画面として書籍Ａの目次項目を表示した場合の検索条件入力画面の一例を示す。この目次項目は、その都度ファイル情報データベースを検索して生成してもよいが、あらかじめ作り置きしたものを表示することもできる。
【００５８】
本実施例の電子書籍Ａには、抽出される用語が余り多くない状況を仮定して、用語の絞り込み条件は省略している。本実施例の電子書籍Ａの内容を構成する各章の見出しが検索条件入力画面に表示されるので、該当する見出しをクリックすると、該当する章のみを検索対象とする検索命令文が用語検索エンジンに送られるようになっている。
【００５９】
図８に、前述の電子索引システムの検索条件入力により検索された結果を表示する検索結果表示の一例を示す。図８のファイル限定条件入力部の画面において「第３章  放送分野の状況」を選択してクリックすると、検索結果表示画面には、リンクされている電子書籍Ａの「第３章  放送分野の状況」に現われる１３個の用語が抽出され結果表示される。
【００６０】
前述の実施例は、コンピュータプログラムによっても実現可能であり、そのプログラム及びそのプログラムが検査の対象とする文書類は、コンピュータが読み取り可能な記憶媒体に記憶することも可能である。
【図面の簡単な説明】
【００６１】
【図１】本発明の基本構成図である。
【図２】実施の形態の用語データベースを示す図である。
【図３】実施の形態のファイル情報データベースを示す図である。
【図４】実施の形態のインデックスデータを示す図である。
【図５】本発明の実施例１の検索条件入力画面を示す図である。
【図６】本発明の実施例１の検索結果表示画面を示す図である。
【図７】本発明の実施例２の検索条件入力画面を示す図である。
【図８】本発明の実施例２の検索結果表示画面を示す図である。
【図９】従来技術における検索処理の例を示す図である。
【図１】
2008165676.tif 000003
【図２】
2008165676.tif 000004
【図３】
2008165676.tif 000005
【図４】
2008165676.tif 000006
【図５】
2008165676.tif 000007
【図６】
2008165676.tif 000008
【図７】
2008165676.tif 000009
【図８】
2008165676.tif 000010
【図９】
2008165676.tif 000011